(57)【特許請求の範囲】
【請求項１】
髪にかざして用いられるヘアカラー疑似体験器具であって，
複数の擬毛を懸吊保持する基盤片（１）と，前記基盤片（１）の一端部に連結され複数の擬毛を懸吊保持する連結片（２）とを具備するベース部材（１０）と；
複数の擬毛を懸吊保持し，前記ベース部材（１０）における前記基盤片（１）と前記連結片（２）の間に着脱自在に挟持される一又は複数の差込片（３）と；を有し，
前記一又は複数の差込片（３）には，前記ベース部材（１０）における前記基盤片（１）及び前記連結片（２）に懸吊保持された擬毛の色とは，異なる色の擬毛を懸吊保持する差込片（３）が含まれる
ヘアカラー疑似体験器具。
【請求項２】
前記基盤片（１）は，懸吊保持する擬毛の一端を，一列に密集した状態で固定するベース擬毛固定部（１１）を有し，
前記連結片（２）及び前記差込片（３）は，懸吊保持する複数の擬毛を複数の毛束に分け，毛束となった擬毛の一端を固定するための毛束固定部（２１，３１）を複数有し，
前記毛束固定部（２１，３１）のそれぞれは，所定間隔離れて，前記連結片（２）及び前記差込片（３）に形成されている
請求項１に記載のヘアカラー疑似体験器具。
【請求項３】
前記一又は複数の差込片（３）が，前記ベース部材（１０）における前記基盤片（１）と前記連結片（２）の間に挟持された状態において，
前記連結片（２）に形成された毛束固定部（２１）に固定された毛束の間には，前記一又は複数の差込片（３）に形成された毛束固定部（３１）に固定された毛束が位置する
請求項２に記載のヘアカラー疑似体験器具。
【請求項４】
前記一又は複数の差込片（３）が，前記ベース部材（１０）における前記基盤片（１）と前記連結片（２）の間に挟持された状態において，
前記差込片（３）を，擬毛が懸吊する方向と直交する方向に，前記差込片（３）と当接する他の片上をスライドさせるスライド手段（５０）が設けられている
請求項１から請求項３のいずれかに記載のヘアカラー疑似体験器具。
【請求項５】
請求項１から請求項４のいずれかに記載されたヘアカラー疑似体験器具を用いた染毛剤の選択方法であって，
前記ベース部材（１０）を選択する工程と，
前記ベース部材（１０）における前記基盤片（１）と前記連結片（２）の間に挟持する一又は複数の差込片（３）を選択する工程と，
前記一又は複数の差込片（３）が前記ベース部材（１０）に挟持された状態で，前記ヘアカラー疑似体験器具を頭部にかざす工程と，
前記ヘアカラー疑似体験器具における前記ベース部材（１０），前記連結片（２），及び前記一又は複数の差込片（３）に懸吊保持された擬毛の色に対応する染毛剤を選択する工程を含む
染毛剤選択方法。
【発明の詳細な説明】
【技術分野】
【０００１】
本発明は，ヘアカラーを希望する者（染髪希望者）に対して，染髪後の髪色の状態を擬似的に体験させることができるヘアカラー疑似体験器具に関する。また，本発明は，ヘアカラー疑似体験器具を用いてヘアカラー後の髪色を疑似体験させ，ヘアカラーに用いる染毛剤の色を選択する染毛剤選択方法に関する。
【背景技術】
【０００２】
従来から，美容室や理容室においては，染毛剤を使用して髪の色を変化させるヘアカラーサービスが行われている。このヘアカラーサービスは，一般的に，染毛剤で染毛された擬毛のサンプルを，染髪希望者の頭部にかざして染髪後の髪色の状態を確認したうえで行われる。
従来のヘアカラーのサンプルとしては，例えば，特許文献１が知られている。
【先行技術文献】
【特許文献】
【０００３】
【特許文献１】特開２００２−１９１４７９号公報
【発明の概要】
【発明が解決しようとする課題】
【０００４】
ここで，近年では，ヘアカラー後の髪型に立体感を出すために，複数種類の染毛剤を用いて，部分的に髪色を変化させるウィービングやメッシュと呼ばれる手法が流行している。このようなウィービングやメッシュと呼ばれる手法は，ベースとなる色で染毛するとともに，ベース色とは異なる色の毛束が部分的に織り交ざるように，複数種類の色の染毛剤で染毛していく。また，ウィービング等では，ベース色の他に，２種類以上の色を織り交ぜることもある。これにより，例えば，ヘアカラー後の髪型では，毛束ごとに部分的な明暗がつき，立体感を表現することができる。
【０００５】
しかし，例えば特許文献１に開示されている従来のヘアカラーのサンプルは，一種類の色で染毛された擬毛の毛束で構成されている。このため，従来のサンプルを，ヘアカラー希望者の頭部にかざしたとしても，上記ウィービング等の手法を用いてヘアカラーを行った後の状態を上手く表現することはできなかった。
【０００６】
そこで，一種類の色で染毛されたサンプルを複数種類並べてかざし，ウィービング等の状態を表現することが考えられる。しかし，このような方法では，ベース色とは異なる色が部分的に織り交ざった状態を上手く表現することができない。
【０００７】
また，予め複数種類の色が織り交ざった状態のサンプルを用意し，これをヘアカラー希望者の頭部にかざしてウィービング等を表現することが考えられる。しかし，組み合わせの色が予め決められている場合，例えば染髪希望者の地毛の色や顔の皮膚の色に合わせて，染髪希望者に似合う組み合わせの色に微調整することができなかった。
【０００８】
このため，現在では，ベースとなる色の他に，ベース色とは異なる複数種類の色が部分的に織り交ざった状態を効果的に表現し，染髪希望者に対して，ウィービング等の髪色の状態を擬似的に体験させることができる器具が求められている。また，染髪希望者に似合う色の組み合わせに適宜調整することのできるヘアカラーサンプルが求められている。さらに，ウィービング等の髪色の状態を擬似的に体験した後に，体験した色と同一の色で染毛するための染毛剤を的確に選択することができる方法が求められている。
【課題を解決するための手段】
【０００９】
そこで，本発明の発明者は，上記従来の問題点を解決する手段について鋭意検討した結果，ベース色で染毛された擬毛が垂れ下がっている２つの片の間に，ベース色とは異なる色で染毛された擬毛が垂れ下がった片を着脱自在に挟み込むこむことにより，染髪希望者に似合う色に適宜調節可能で，かつ，ウィービング等の髪色の状態を効果的に表現することのできるヘアカラー疑似体験器具を提供できることを見出した。また，本発明の発明者は，このようなヘアカラー疑似体験器具を用いれば，ウィービング等の髪色の状態を疑似体験した後，体験した色と同一の色で染毛するための染毛剤を的確に選択することができることを見出した。
具体的に，本発明は，以下の構成を有する。
【００１０】
本発明の第１の側面は，染髪希望者の髪にかざして用いられるヘアカラー疑似体験器具１００に関する。
本発明に係るヘアカラー疑似体験器具１００は，基本的には，ベース部材１０と，差込片３ａ，３ｂを有している。この差込片３ａ，３ｂは，ベース部材１０の間に取り外しできるように挟み込まれている。
また，ベース部材１０は，基盤片１と連結片２を具備する。基盤片１は，複数の擬毛を垂れ下げて保持（懸吊保持）する。また，連結片２は，複数の擬毛を垂れ下げて保持しており，基盤片１の一端部に連結されている。
差込片３ａ，３ｂのそれぞれは，複数の擬毛を垂れ下げて保持し，ベース部材１０における基盤片１と連結片２の間に取り外しできるように挟み込まれている。
ここで，一又は複数の差込片３ａ，３ｂには，ベース部材１０における基盤片１及び連結片２に垂れ下がり保持された擬毛の色とは，異なる色の擬毛を垂れ下げて保持する差込片３ａ，３ｂが含まれる。
【００１１】
このように，本発明に係るヘアカラー疑似体験器具１００では，ベース部材１０の基盤片１や連結片２に垂れ下がっているベース色の擬毛の間に，異なる色の擬毛を織り交ぜることができるため，ウィービング等と呼ばれる手法で染髪した後の髪色の状態を上手く表現することができる。また，差込片３は，ベース部材１０から着脱自在となっているため，差込片３を適宜交換することで，染髪希望者の例えば地毛の色や顔色に合せて，染髪希望者に似合う色の擬毛を織り交ぜることができる。
【００１２】
本発明に係るヘアカラー疑似体験器具の好ましい形態では，基盤片１が，垂れ下げて保持する擬毛の一端を一列に密集した状態で固定するベース擬毛固定部１１を有している。また，連結片２及び差込片３ａ，３ｂは，垂れ下げて保持する複数の擬毛を複数の毛束に分け，毛束となった擬毛の一端を固定するための毛束固定部２１，３１を複数有している。さらに，毛束固定部２１，３１のそれぞれは，所定間隔離れて，連結片２及び差込片３ａ，３ｂに形成されている
【００１３】
要するに，基盤片１には，擬毛が列状に密集して取り付けされており，連結片２と差込片３ａ，３ｂには，複数の毛束に分けられた擬毛が所定間隔ごとに取り付けられている。これにより，ベース部材１０に取り付けられた擬毛の色をベース色として，その間に，差込片３ａ，３ｂに取り付けられた毛束状の擬毛の色を重ね合わせることができる。このため，ベース色とは異なる色の毛束が部分的に織り交ざったウィービング等の状態を効果的に再現できる。
【００１４】
本発明に係るヘアカラー疑似体験器具の好ましい形態では，一又は複数の差込片３ａ，３ｂがベース部材１０における基盤片１と連結片２の間に挟持された状態（以下，挟持状態ともいう）において，連結片２に形成された毛束固定部２１に固定された毛束の間に，一又は複数の差込片３ａ，３ｂに形成された毛束固定部３１に固定された毛束が位置する。すなわち，このような状態とするために，連結片２及び差込片３ａ，３ｂの毛束固定部２１，３１の幅と間隔が設定される。
【００１５】
これにより，挟持状態のヘアカラー疑似体験器具１００を連結片２側から見ると，連結片２に取り付けられている擬毛の毛束に，差込片３ａ，３ｂに取り付けられた擬毛の毛束が重ならない。従って，染髪後の状態を効果的に表現することができる。また，挟持状態において，差込片３ａ，３ｂをスライドさせることにより，連結片２の毛束の間から，差込片３ａ，３ｂの毛束が見えたり隠れたりするため，ヘアカラー疑似体験器具１００により表現できる髪色の状態を微調整することができる。
【００１６】
本発明に係るヘアカラー疑似体験器具の好ましい形態では，挟持状態において，差込片３ａ，３ｂを，擬毛が懸吊する方向と直交する方向に，差込片３ａ，３ｂと当接する他の片上をスライドさせるスライド手段５０が設けられている。
【００１７】
これにより，差込片３ａ，３ｂを，擬毛が垂れ下がった重力方向と直交する水平方向に，スライドさせやすくなる。また，ベース部材１０に挟持された差込片３ａ，３ｂが水平方向にスライドすると，差込片３ａ，３ｂに固定されている擬毛もスライドするため，挟持状態におけるヘアカラー疑似体験器具１００を連結片２側から見た色の状態が変化する。従って，ヘアカラー疑似体験器具１００に織り交ぜられた色の調子を微調整することができる。
【００１８】
本発明の第２の側面は，上記ヘアカラー疑似体験器具１００を用いて，ヘアカラー用の染毛剤を選択する方法に関する。
本発明にかかる染毛剤選択方法では，まず，ヘアカラー疑似体験器具１００のベース部材１０を選択する。
次に，ベース部材１０における基盤片１と連結片２の間に挟みこむ一又は複数の差込片３を選択する。
その後，一又は複数の差込片３がベース部材１０に挟持された状態で，ヘアカラー疑似体験器具１００を頭部にかざす。
そして，ヘアカラー疑似体験器具１００におけるベース部材１０，連結片２，及び一又は複数の差込片３に懸吊保持された擬毛の色に対応する染毛剤を選択する。
【００１９】
このように，ヘアカラー疑似体験器具１００を用いれば，ウィービング等の髪色の状態を疑似体験した後，体験した色と同一の色で染毛するための染毛剤を的確に選択することができる。
【図面の簡単な説明】
【００２０】
【図１】図１は，本発明に係るヘアカラー疑似体験器具の使用状態の例を示す概略斜視図である。
【図２】図２は，本発明に係るヘアカラー疑似体験器具の挟持状態の例を示す概略斜視図である。
【図３】図３は，ベース部材を展開し，基盤片１，連結片２，及び差込片３を並べた状態の例を示している。
【図４】図４は，挟持状態おけるヘアカラー疑似体験器具を正面から見た状態を概略的に示す図である。
【図５】スライド手段が設けられた本発明の実施形態を説明するための図である。
【発明を実施するための形態】
【００２１】
以下，図面を用いて本発明を実施するための形態について説明する。本発明は，以下に説明する形態に限定されるものではなく，以下の形態から当業者が自明な範囲で適宜修正したものも含む。
【００２２】
図１は，本発明に係るヘアカラー疑似体験器具１００の使用状態の例を示す概略斜視図である。図１に示されているように，略矩形状に形成された基盤片１と連結片２が，その一方の短辺において連結し，ベース部材１０を形成している。ベース部材１０は，基盤片１と連結片２の連結点を基点として，開閉可能に構成されている。ベース部材１０は開いた状態において，基盤片１と連結片３の間に，一又は複数の矩形状の差込片３を挟みこむ（挟持する）ことができる。
なお，本実施の形態においては，一又は複数の差込片３として，基底片１側に配設される第１の差込片３ａと，連結片２側に配設される第２の差込片３ｂが，ベース部材１０に挟持される例について説明する。
【００２３】
基盤片１，連結片２，及び差込片３（第１の差込片３ａ及び第２の差込片３ｂ）には，それぞれ，複数の擬毛が垂れ下がって保持（懸吊保持）されている。図１に示す例では，第１の差込片３ａに懸吊保持されている擬毛の色は，基盤片１，連結片２，及び第２の差込片３ｂに懸吊保持された擬毛の色と異なっている。同様に，第２の差込片３ｂに懸吊保持されている擬毛の色も，基盤片１，連結片２，及び第１の差込片３ａに懸吊保持された擬毛の色と異なっている。
【００２４】
ここで，擬毛の「色が異なる」とは，明るさ，色相，又は彩度のうち，少なくともいずれか一つが異なることを意味する。また，単に色相が異なる色ばかりでなく，同じ色相であっても，彩度又は明度が，意図的に異なるものとされた色は，「異なる色」とする。
【００２５】
また，それぞれの片に懸吊保持された擬毛は，矩形状の一方の長辺方向に向かって，重力に従い，重力方向に垂れ下がっている。これら複数の擬毛としては，例えば，人毛，人工毛，又は人毛と人工毛を混在させたものを用いることができる。
【００２６】
また，基盤片１に懸吊保持された擬毛は，略直線的に一列となり，基盤部材１の長手方向にわたって，隙間なく密集している。このように基盤片１に懸吊保持された擬毛を，本明細書においてはベース擬毛と称す。つまり，基盤片１は，ベース擬毛の一端を一列に密集した状態で固定するベース擬毛固定部１１を有する。なお，ここで一列とは，直線的に形成されたものばかりでなく，例えば湾曲屈折している場合も含み，意図的に隙間が設けられていないことを意味する。また，懸吊保持とは，擬毛が重力に従って垂れ下がって各片の一部に固定されていることを意味し，固定手段としては公知のものが含まれる。
【００２７】
一方，連結片及び差込片３では，複数の擬毛を所定本数ずつ分配して懸吊保持することにより，複数の毛束（Ｂ）を形成している。すなわち，連結片２及び差込片３は，それぞれ，毛束ごとに擬毛を固定する毛束固定部２１，３１を有し，複数の毛束固定部２１，３１は，隣接する毛束固定部２１，３１と所定間隔離れて形成されている。
【００２８】
このように，基盤片１には擬毛が一列に密集した状態で固定されているのに対し，連結片２及び差込片３には擬毛が毛束ごとに分配されて固定されている。このため，基盤片１に懸吊保持される擬毛の本数は，少なくとも連結片２又は差込片３のそれぞれに懸吊保持される擬毛の本数より多くなっている。
【００２９】
また，図１に示されるように，２つの差込片３（第１の差込片３ａ及び第２の差込片３ｂ）には，差込片３の本体を，基盤片１，連結片２，又は他の差込片３のいずれかに固定するための，固定手段４０が設けられている。図１に示された実施形態においては，固定手段４０はクリップである。クリップは，開閉の支点に設けられたバネ部材（図示しない）の付勢力によって，差込片３本体とクリップの間に他の片を挟みこむ。図１に示された例では，第１の差込片３ａには，基盤片１側の面にクリップが形成されているため，第１の差込片３ａは，クリップによって，基盤片１を挟みこみことができる。また，図１に示された例では，第２の差込片３ｂにも，基盤片１側の面にクリップが形成されているため，第２の差込片３ｂは，クリップにより，基盤片１及び／又は第１の差込片３ａを挟みこみことができる。
【００３０】
図２は，ベース部材１０における基盤片１と連結片２の間に，差込片３（第１の差込片３ａ及び第２の差込片３ｂ）が挟持された状態（挟持状態）の例を示す概略斜視図である。なお，図２においては，固定手段４０を省略して描画している。図２に示されるように，基盤片１に懸吊保持された複数の擬毛１´，連結片に懸吊保持された複数の擬毛２´，第１の差込片３ａに懸吊保持された複数の擬毛３ａ´，及び第２の差込片３ｂに懸吊保持された複数の擬毛３ｂ´が，上手く織り交ざってヘアカラー疑似体験器具１００から垂れ下がっていることがわかる。ヘアカラー疑似体験器具１００は，挟持状態において，ベース部材１０を持ち手として，頭髪にかざされる。この際，ヘアカラー疑似体験器具１００のうち，基盤片１を，染毛希望者の頭髪にあてて用いられることが好ましい。また，ヘアカラー疑似体験器具１００に垂れ下がった複数の擬毛（１´，２´，３ａ´，３ｂ´）の間に櫛を通し，図２の上下方向にスライドさせ，擬毛同士をなじませてから使用することとしてもよい。
【００３１】
図３は，ベース部材１０を展開し，基盤片１，連結片２，及び差込片３（第１の差込片３ａ及び第２の差込片３ｂ）を並べた状態を示している。図３に示されているように，基盤片１，連結片２，及び差込片３は，略矩形状で形成されている。基盤片１，連結片２，及び差込片３の各片は，面方向における片面の面積が一致していることが好ましい。また，各片のうち，擬毛が垂れ下がる側の縁の長さは，例えば，５０ｍｍ〜１５０ｍｍ，７５ｍｍ〜１２５ｍｍ，９０ｍｍ〜１１０ｍｍであり，特に約１００ｍｍ（±２ｍｍ）であることが好ましい。また，基盤片１，連結片２，及び差込片３それぞれの片面の面積は，３００ｍｍ２〜６００ｍｍ２，３５０ｍｍ２〜５５０ｍｍ２，４００ｍｍ２〜５００ｍｍ２であり，特に約４５０ｍｍ２（±４ｍｍ２）であることが好ましい。
なお，本明細書において「Ａ〜Ｂ」とは，「Ａ以上Ｂ以下」であることを意味する。
【００３２】
また，基盤片１，連結片２，及び差込片３に懸吊保持された複数の擬毛（外部に露出している部分）の長さは，略同一であることが好ましく，最も長い擬毛と最も短い擬毛の差が１０ｍｍ以内であることが好ましい。複数の擬毛の長さは，例えば１００ｍｍ〜５００ｍｍであることが好ましく，染髪希望者の頭髪の長さに合わせて適宜調節すればよい。
【００３３】
複数の擬毛は，その一端部が，基盤片１，連結片２，及び差込片３に固定される。固定手段としては，公知を用いればよい。例えば，複数の擬毛は，接着剤を用いて各片に固定することとしてもよい。また，基盤片１，連結片２，及び差込片３を，複数の板状部材を重ね合せて形成し，最も外表面に位置する板状部材に，孔部を設け，その孔部に擬毛一端を挿し込み，板状部材の間に擬毛を固定することしてもよい。これにより，複数の板状部材の間に固定された擬毛は孔部通って垂れ下がる。
【００３４】
基盤片１は，一列に密集した状態の複数の擬毛の一端を固定するためのベース擬毛固定部１１を有する。ベース擬毛固定部１１は，擬毛が重力に従い垂れ下がる縁から１０ｍｍ程度の近傍に形成されている。図３に示す例においては，ベース擬毛固定部１１は，擬毛が垂れ下がる側の縁に対して平行な直線状に形成されている。ベース擬毛固定部１１の長手方向の長さは，４０ｍｍ〜１４０ｍｍ，６０ｍｍ〜１２０ｍｍ，７０ｍｍ〜９０ｍｍであり，特に約８０ｍｍ（±２ｍｍ）であることが好ましい。ベース擬毛固定部１１には，隙間なく密集して複数の擬毛が固定されている。隙間なく密集とは，意図的に空隙を設けず，その外観において隙間が見えないように形成されていることを意味する。ベース擬毛固定部１１に固定されるベース擬毛の本数は，例えば３０００本〜２００００本，８０００本〜１５０００であることが好ましい。
【００３５】
図３に示されているように，連結片２は，連結部２２を介して基盤片１に連結されている。連結部２２は，基盤片１と連結片２の間に挟持されることが予定されている一又は複数の差込片３の厚みと略同一の長さで，基盤片１と連結片２を連結することが好ましい。例えば，差込片３一枚の厚みは１ｍｍ〜５ｍｍであることが好ましく，この場合において，２枚の差込片３を挟持することを予定しているベース部材１０における連結部２２の長さは，２ｍｍ〜１０ｍｍであることが好ましい。また，ベース部材１０の間に挟持される差込片３の数が増加することを考え，予め連結部２２の長さを長めに確保することとしてもよい。
【００３６】
連結片２は，懸吊保持する複数の擬毛を複数の毛束（Ｂ）に分け，毛束となった擬毛の一端を固定するための毛束固定部２１を複数有する。複数の毛束固定部２１は，擬毛が重力に従い垂れ下がる側の縁に対して平行に直線的に並んで形成されていることが好ましい。特に，複数の毛束固定部２１は，基盤片１に直線的に形成されたベース擬毛固定部１１の延長線上に形成され，ベース部材１０を閉じた状態において，基盤片１のベース擬毛固定部１１に対向する位置に並んで形成されていることが好ましい。
【００３７】
毛束固定部２１は，連結片２上に，４箇所〜８箇所，又は５箇所〜７箇所，好ましくは６箇所形成される。各毛束固定部２１の幅は，それぞれ，２ｍｍ〜５ｍｍ，特に３ｍｍ〜４ｍｍで形成されていることが好ましい。毛束固定部２１に固定される擬毛の本数は，８０本〜２００本，１００本〜１８０本，１２０本〜１６０本であり，特に１４０本〜１５０本であることが好ましい。毛束固定部１１は，それぞれ，隣接する毛束固定部１１との間に所定間隔空いて配置されており，その距離は，５ｍｍ〜１０ｍｍ，又は６ｍｍ〜９ｍｍ，特に７ｍｍ〜８ｍｍであることが好ましい。
【００３８】
一又は複数の差込片３（第１の差込片３ａ及び第２の差込片３ｂ）も，それぞれ，連結片２と同様に，懸吊保持する複数の擬毛を複数の毛束（Ｂ）に分け，毛束となった擬毛の一端を固定するための毛束固定部３１を複数有する。複数の毛束固定部２３も，擬毛が重力に従い垂れ下がる側の縁に対して平行に直線的に並んで形成されていることが好ましい。特に，複数の毛束固定部２３は，ベース部材１０に挟持された状態において，基盤片１のベース擬毛固定部１１又は連結片２の毛束固定部２２に対向する位置に，並んで形成されていることが好ましい。
【００３９】
また，一又は複数の差込片３に懸吊保持される擬毛の色は，基盤片１及び連結片２に懸吊保持される擬毛の色とは異なる。つまり，基盤片１及び連結片２に懸吊保持される擬毛の色は，同一のベース色であることが好ましく，一又は複数の差込片３に懸吊保持される擬毛の色は，それぞれ，このベース色とは異なることが好ましい。また，一又は複数の差込片３に懸吊保持される擬毛の色は，それぞれ異なることが好ましいが，同一色であっても良い。
【００４０】
また，一又は複数の差込片３には，擬毛が固定された面と反対の面に，固定手段４０が設けられていることが好ましい。先述したとおり，本実施形態における固定手段４０は，クリップである。ベース部材１０の間に，複数の差込片３が挟持される場合，固定手段４０は，挟持状態において設置箇所が重ならない位置に設けられていることが好ましい。例えば，図３に示されるように，第１の差込片３ａにおいては，固定手段４０ａが，第１の差込片４０ａの上部に設けられて，第２の差込片３ｂにおいては，固定手段４０ｂが，第２の差込片４ｂの下部に設けられている。
【００４１】
その他，差込片３に形成された毛束固定部３１の諸条件については，連結片２に形成された毛束固定部２１と同様であることが好ましい。
【００４２】
図４は，挟持状態おけるヘアカラー疑似体験器具１００を正面から見た状態を概略的に示す図であり，連結片２，第１の差込片３ａ，及び第２の差込片３ｂに懸吊保持された擬毛の毛束をそれぞれパターン分けして描画している。具体的に説明すると，図４においては，連結片２に懸吊保持された擬毛の毛束２Ｂを無地で示し，第１の差込片３ａに懸吊保持された擬毛の毛束３ａＢをドットのパターンで示し，第２の差込片３ｂに懸吊保持された擬毛の毛束３ｂＢを斜線のパターンで示している。
【００４３】
まず，図４（ａ）は，面方向において略同一の面積を有する矩形状に形成された基盤片１，連結片２，第１の差込片３ａ，及び第２の差込片３ｂが，完全に重なった状態を示している。このような状態においてヘアカラー疑似体験器具１００を正面から見ると，連結片２，第１の差込片３ａ，及び第２の差込片３ｂに懸吊保持された擬毛の毛束２Ｂ，３ａＢ，３ｂＢは，それぞれ重複していない。つまり，連結片２に形成された毛束固定部２１に固定された毛束２Ｂの間には，第１の差込片３ａ及び第２の差込片３ｂの毛束固定部３１に固定された毛束３ａＢ及び３ｂＢが位置する。
【００４４】
図４に示されるような状態とするためには，連結片２，第１の差込片３ａ，及び第２の差込片３ａに形成された毛束固定部（２１，３１）の幅，及び隣接する毛束固定部同士の間隔を調節すればよい。具体的に説明すると，各片に形成された毛束固定部（２１，３１）は，すべて同一の幅で形成されている。また，各片に形成された毛束固定部（２１，３１）は，隣接する毛束固定部同士の間隔がすべて同一となっている。さらに，各片において隣接する毛束固定部同士の間隔は，差込片３に形成された毛束固定部３１の幅に，挟持が予定された差込片３の数（本実施形態においては２）を乗じた距離となっている。これにより，図１に示されたように，ヘアカラー疑似体験器具１００を正面から見ると，連結片２及び一又は複数の差込片３に懸吊保持された擬毛の毛束が，それぞれ重複しないように見える。
【００４５】
一方，図４（ｂ）に示す図は，第１の差込片３ａだけを，擬毛が垂れ下がった重力方向と直交する水平方向（図中矢印方向）に，隣接する片の面上に沿ってスライドさせた状態を示している。特に，図４（ｂ）では，各片の毛束固定部３１の幅分だけ，第１の差込片３ａをスライドさせている。このように，第１の差込片３ａを矢印方向にスライドさせると，第１の差込片３ａに懸吊保持されている擬毛の毛束３ａＢが，連結片２及び第２の差込片３ｂに懸吊保持されている擬毛の毛束２Ｂ及び３ｂＢの裏に隠れることとなる。
【００４６】
同様に，図４（ｃ）に示す図は，第２の差込片３ｂだけを，擬毛が垂れ下がった重力方向と直交する水平方向（図中矢印方向）に，隣接する片の面上に沿ってスライドさせた状態を示している。つまり，図４（ｃ）では，各片の毛束固定部３１の幅分だけ，第２の差込片３ｂをスライドさせている。このように，第２の差込片３ｂを矢印方向にスライドさせると，第２の差込片３ｂに懸吊保持されている擬毛の毛束３ｂＢが，連結片２及び第２の差込片３ａに懸吊保持されている擬毛の毛束２Ｂ及び３ａＢの裏に隠れることとなる。
【００４７】
このように，スライドさせる差込片３（第１の差込片３ａ及び第２の差込片３ｂ）や，スライドさせる距離を適宜選択し調節することにより，ヘアカラー疑似体験器具１００を正面から見える擬毛の毛束の色や量を微調節することができる。
【００４８】
また，図５は，本発明において差込片３のスライドを補助するためのスライド手段５０が設けられた実施形態を説明するための図である。図３（ａ）は，本発明に係るヘアカラー疑似体験器具１００の使用状態の例を示す概略斜視図であり，図３（ｂ）は，基盤片１，連結片２，及び差込片３（第１の差込片３ａ及び第２の差込片３ｂ）厚み方向における断面形状の例を示している。
【００４９】
図５（ａ）及び図５（ｂ）に示されるように，基盤片１の連結片２側の面には，その上部に凸部５１が形成されており，その下部には凹部５２が形成されている。また，連結片２の基盤片１側の面には，挟持状態において基盤片１の凸部５１及び凹部５２に対応する位置，すなわちその下部に凸部５１が形成され，その上部に凹部５２が形成されている。また，差込片３（第１の差込片３ａ及び第２の差込片３ｂ）の，基盤片１側の面には，挟持状態において基盤片１の凸部５１及び凹部５２に対応する位置，すなわちその下部に凸部５１が形成され，その上部に凹部５２が形成されている。一方，差込片３（第１の差込片３ａ及び第２の差込片３ｂ）の，連結片２側の面においては，挟持状態において連結片２の凸部５１及び凹部５２に対応する位置，すなわちその上部に凸部５１が形成され，その下部に凹部５２が形成されている。なお，各片において，凸部５１及び凹部５２を形成する位置は，上部と下部が逆であっても良い。
【００５０】
このように，基盤片１，連結片２，及び差込片３のそれぞれには，挟持状態において隣接する片の凹部及び凸部に対応する位置に，凹部及び凸部が形成されている。従って，図５（ａ）に示されるように，一又は複数の差込片３を，擬毛が垂れ下がった重力方向と直交する水平方向（図中矢印方向）に，隣接する片の面上に沿ってスライドさせやすくなる。特に，図５（ｂ）に示されるように，一又は複数の差込片３の断面形状が，同一の形状となるように，凸部５１及び凹部５２を形成することにより，差込片３の全てに互換性をもたせることができる。従って，ベース部材１０に挟持された差込片３を，異なる色で染毛された擬毛を懸吊保持する差込片３に交換し易くなる。
【００５１】
なお，本発明は，上記実施の形態に限定されるものではなく，上記実施の形態から当業者が自明な範囲で適宜修正したものも含む。例えば，上記実施の形態においては，ベース部材１０の間に，２つの差込片３（第１の差込片３ａ，第２の差込片３ｂ）が挟持される構成について説明したが，ベース部材１０の間に挟持される差込片３は，１つであってもよいし，３つ以上であってもよい。また，上記実施の形態においては，ベース部材１０の間に，それぞれ異なる色で染毛された擬毛を懸吊保持する差込片３が挟持される構成について説明したが，ベース部材１０の間に挟持される差込片３に懸吊保持される擬毛は，同一の色で染毛されたものであってもよい。
【００５２】
次に，本発明係るヘアカラー疑似体験器具１００を用いて，頭髪を染毛するための染毛剤を選択する方法について説明する。本発明に係る染毛剤選択方法を行うにあったっては，異なる色で染毛された擬毛を懸吊保持する複数のベース部材１０と，異なる色で染毛された擬毛を懸吊保持する複数の差込片３と，これらのベース部材１０及び差込片３に懸吊保持された擬毛の色に対応した色に頭髪を染毛可能な染毛剤を用意する。例えば，複数のベース部材１０における基盤片１と連結片２，及び複数の差込片３にはそれぞれ別の番号がふられており，これに対応した色の染毛剤には，複数のベース部材１０における基盤片１と連結片２，及び複数の差込片３に対応した番号をふればよい。
【００５３】
まず，基盤片１及び連結片２を具備するベース部材１０が選択される。ベース部材１０の基盤片１及び連結片２には，それぞれ同一色（ベース色）で染毛された擬毛が懸吊保持されていることが好ましい。ただし，ベース部材１０の基盤片１及び連結片２には，異なる色で染毛された擬毛が懸吊保持されていてもよい。この場合，基盤片１に懸吊保持された擬毛の色がベース色となる。
【００５４】
次に，ベース部材１０における基盤片１と連結片２の間に挟持する一又は複数の差込片３を選択する。一又は複数の差込片３には，それぞれ，基盤片１又は連結片２の擬毛の色とは異なる色で染毛された擬毛が懸吊保持されている。
【００５５】
次に，一又は複数の差込片３がベース部材１０に挟持された状態で，ヘアカラー疑似体験器具１００を染髪希望者の頭部にかざす。このとき，ベース部材１０の基盤片１が染髪希望者の頭部にあたるようにして，ヘアカラー疑似体験器具１００をかざすことが好ましい。また，ベース部材１０の擬毛のベース色及び差込片３のベース色が，例えば，染髪希望者の地毛の色や顔の皮膚の色に合わないときには，ベース部材１０及び差込片３を，異なる色で染毛された擬毛を懸吊保持するベース部材１０及び差込片３に適宜変更することができる。また，ヘアカラー疑似体験器具１００を頭髪にかざし，擬毛の色を微調整したいきときには，一又は複数の差込片３をスライドさせればよい。
【００５６】
このようにして，染髪希望者に対し，ヘアカラー後の髪の色の状態を擬似的に体験させることができる。そして，ヘアカラー疑似体験器具１００によって疑似体験した髪の色を，染髪希望者が気に入った場合には，ヘアカラー疑似体験器具１００におけるベース部材１０，連結片２，及び一又は複数の差込片３に懸吊保持された擬毛の色に対応する染毛剤を選択する。このとき，ベース部材１０における基盤片１と連結片２，及び一又は複数の差込片３それぞれにふられた番号を参照して，これに対応する番号がふられた染毛剤を選択することが好ましい。
【００５７】
このようにして，本発明係るヘアカラー疑似体験器具１００を用いて，頭髪を染毛するための染毛剤を選択することができる。
【産業上の利用可能性】
【００５８】
本発明は，ヘアカラー後の髪色を疑似体験させることができる器具，及びこれを用いて染毛剤を選択する方法に関する。従って，本発明は，美容産業や理容産業において好適に利用することができる。
【符号の説明】
【００５９】
１      基盤片
２      連結片
３      差込片
３ａ    第１の差込片
３ｂ    第２の差込片
１１    ベース擬毛固定部
２１    毛束固定部
２２    連結部
３１    毛束固定部
４０    固定手段
５０    スライド手段
５１    凸部
５２    凹部
１０    ベース部材
１００  ヘアカラー疑似体験器具
【要約】
【課題】本発明は，複数の色の染毛剤を用いてヘアカラーを行った後の髪型を擬似的に体験させることができるヘアヘアカラー疑似体験器具を提供することを目的とする。
【解決手段】本発明は，ベース色で染毛された擬毛が垂れ下がっている２つの片の間に，ベース色とは異なる色で染毛された擬毛が垂れ下がった片を着脱自在に挟み込むこむことにより，染髪希望者に似合う色に適宜調節可能で，かつ，ウィービングやメッシュといった技法のヘアカラー後の髪色の状態を効果的に表現することのできるという知見に基づく。
【選択図】図１【図１】
0004746720.tif 000002
【図２】
0004746720.tif 000003
【図３】
0004746720.tif 000004
【図４】
0004746720.tif 000005
【図５】
0004746720.tif 000006